(57)【特許請求の範囲】
【請求項１】
複数のサーバが接続された有線ネットワークへ接続するための１つ以上の有線側インターフェースと、端末と無線通信するための１つ以上の無線側インターフェースと、該有線側インターフェースおよび該無線側インターフェースを制御する制御部とを備える無線通信基地局装置であって、
前記制御部は、ＳＩＭ（加入者識別モジュール）カードスロットを有し、該ＳＩＭカードスロットにＳＩＭカードが挿入されているか否かを起動時に判定し、
挿入されている場合には、
起動時に、前記ＳＩＭカードに記録されている情報に従って、前記複数のサーバの中からサーバを選択し、該サーバとの間で暗号化された通信路の設定および相互認証を行い、
運用時に、起動時に選択したサーバと設定した通信路を利用して、当該無線通信基地局装置の管理および端末の認証を行う
ことを特徴とする無線通信基地局装置。
【発明の詳細な説明】
【０００１】
【発明の属する技術分野】
本発明は、加入者識別（ＳＩＭ）モジュールを具備した、無線通信システムにおける無線通信基地局装置に関し、特に、該無線通信基地局装置に対する情報設定方法、起動手順の選択方法に関する。
【０００２】
【従来の技術】
図１０は、従来の無線通信基地局装置の装置構成図を示す図である。従来の無線通信基地局装置は、端末と通信するための無線インタフェース部１０１と、無線通信基地局装置を有線ネットワークへ接続する有線側インタフェース部１０２を有している。この無線インタフェース部１０１と有線側インタフェース部を、制御部１０３によって制御することにより、無線通信基地局装置は、一方で有線ネットワークに接続された機器と通信し、他方で、端末と無線通信する。端末は、この無線通信基地局装置を介して、無線通信基地局装置に接続される有線ネットワーク上の様々な機器と通信することができる。
【０００３】
無線通信基地局装置は、公衆ネットワークや社内ネットワークなどの様々な有線ネットワークに接続されて、ネットワーク上の様々な機器と通信する。１つの無線通信基地局装置を様々な使用環境において使用できるように（使用環境が異なれば、無線通信基地局装置の動作も異なる）、無線通信基地局装置は、その使用に際し、使用される環境に適した形にあらかじめ初期化される。
【０００４】
無線通信基地局装置は、その起動時に、装置内の不揮発メモリ内に記録された、または、装置内のハードウェアスイッチにより選択された起動モード従って起動されるところ、上記初期化の内容は、この起動モードによって異なる。
【０００５】
したがって、無線通信基地局装置に異なった動作をさせる場合、たとえば、無線通信基地局装置を現在使用している環境と異なる環境で使用する場合には、無線通信基地局装置の起動モードを変更する。
【０００６】
図１１は、従来の起動モードの変更方法を示す図である。従来は、無線通信機直装置１１１に、書き換え用装置を接続して、無線通信基地局装置内の不揮発メモリ内に記録された、または、装置内のハードウェアスイッチにより選択された起動モードに関する情報を変更していた。
【０００７】
【発明が解決しようとする課題】
しかし、従来の無線通信基地局装置では、起動モードを変更する際に、上記のように専用の機器を接続し書き換える必要があるため、この専用の機器を準備する必要があり、したがって、専用の機器のコストが増大する。
【０００８】
また、専用の機器による書き換えでは、書き換えに時間がかかる。さらには、専用の機器による書き換えでは、無線通信基地局装置を交換する際の設定ミス、または専用の機器を操作して書き換える際の操作ミスにより、無線通信基地局装置が動作不能となるおそれがある。
【０００９】
そこで、本発明は、かかる事情に鑑み、無線通信基地局装置の起動モードの変更のためにＳＩＭカードを用いる無線通信基地局装置を提供することを目的とする。
【００１０】
【課題を解決するための手段】
本発明によれば、上記課題は、前記特許請求の範囲に記載の手段により、解決される。すなわち、請求項１に記載の発明は、複数のサーバが接続された有線ネットワークへ接続するための１つ以上の有線側インターフェースと、端末と無線通信するための１つ以上の無線側インターフェースと、該有線側インターフェースおよび該無線側インターフェースを制御する制御部とを備える無線通信基地局装置であって、
【００１１】
前記制御部は、ＳＩＭ（加入者識別モジュール）カードスロットを有し、該ＳＩＭカードスロットにＳＩＭカードが挿入されているか否かを起動時に判定し、挿入されている場合には、起動時に、前記ＳＩＭカードに記録されている情報に従って、前記複数のサーバの中からサーバを選択し、該サーバとの間で暗号化された通信路の設定および相互認証を行い、運用時に、起動時に選択したサーバと設定した通信路を利用して、当該無線通信基地局装置の管理および端末の認証を行うことを特徴とする無線通信基地局装置である。
【００１３】
本発明によれば、無線通信基地局装置に備え付けられた制御部は、無線通信基地局装置の起動時に、ＳＩＭカードスロットにＳＩＭカードが挿入されているかいなかを判定し、ＳＩＭカードの有無により起動モードを異ならしめる。また、ＳＩＭカード内に収められているデータに従って、情報の送受信を行うネットワーク上の対向機器の決定やそれに必要な各種情報の設定を行う。よって、本発明によれば、無線通信基地局装置の起動モードの設定の簡便化やミスの発生を防ぐことができる。
【００１４】
【発明の実施の形態】
以下に図面を参照しつつ、本発明に係る無線通信基地局装置の好適な実施の
形態を詳細に説明する。図１〜図４は、本発明の第１の実施の形態を示す図である。図１は、本発明の実施の形態に係る無線通信基地局装置の内部構成を示す図である。図２は、起動シーケンスのフローチャートを示す図である。図３は、本実施の形態の具体的な適用例を示す図であり、無線基地局装置が自営網に接続される場合を示している。図４も、本実施の形態の具体的な適用例を示す図であり、公衆網に接続される場合を示している。
【００１５】
図１に示すように、無線通信基地局装置は、無線側インターフェース１１、有線側インターフェース１２、それらを制御する制御部１３から構成されており。また制御部１３にはＳＩＭカードスロット１４が具備されている。
【００１６】
図２に示すように、無線通信基地局装置は、起動後、定められた手順を実行した後、ＳＩＭカードスロット１４にＳｌＭカードが挿入されているか否かを判定する。そして、無線通信基地局装置は、ＳＩＭカードが挿入されていない場合はモードＡの起動手順を、ＳＩＭ力一ドが挿入されている場合はモードＢの起動手順を実行し、起動処理を終了する。
【００１７】
図３および図４に示すように、無線通信基地局装置は、社内モードと公衆モードの２つの起動モードを有している。図３に示す場合には、無線通信基地局装置３１は、会社における有線ＬＡＭなどの有線ネットワーク３３に接続される。したがって、この無線通信基地局装置３１は、起動モードを社内モードとする必要がある。このため、無線通信基地局装置３１のＳＩＭカードスロット３２には、、ＳＩＭカードが挿入されていない。
【００１８】
他方、図４に示す場合には、無線通信基地局装置４１は、電話網などの有線ネットワーク４３に接続される。したがって、この無線通信基地局装置４１は、起動モードを公衆モードとする必要がある。このため、無線通信基地局装置４１のＳＩＭカードスロット４２には、ＳＩＭカードが挿入されている。
【００１９】
図５〜図９に本発明の第２の実施の形態を示す図である。図５は、第２の実施の形態に係るネットワーク構成を示す図である。図６は、第２の実施の形態に係る起動時／運用時のシーケンスを示す図である。図７は、本実施の形態の具体的な適用例を示す図であり、ネットワーク構成を示している。図８も本実施の形態の具体的な適用例を示す図であり、起動時のシーケンスを示している。図９も本実施の形態の具体的な適用例を示す図であり、運用時のシーケンスを示している。
【００２０】
無線通信基地局装置５１は、複数のサーバが接続されたネットワーク５３に接続されており、また無線通信基地局装置５１下には端末５６が存在する。ＳＩＭカードスロット５２に挿入されるＳＩＭカードには、無線通信基地局装置５１が情報の送受信をするネットワーク５３上のサーバ(５４、５５)の指定や通信を行うための各種情報が蓄積されている。無線通信基地局装置５１は、起動時／通信時にそれらの情報に従って通信を行う。
【００２１】
したがって、たとえば、図６に示すように、無線通信基地局装置５１は、ＳＩＭカードに記録されている情報に従い、起動時の設定に関する情報については、サーバ５４に蓄積されている情報を用い、端末５６の認証に関する情報については、サーバ５３に蓄積されている情報を用いる。
【００２２】
図７に示す本実施の形態の具体的な適用例において、無線通信基地局装置７１は公衆ネットワーク７３に接続され、公衆ネットワーク７３上には複数の事業者の複数のサーバ群(７４、７５)、(７６、７７)が接続されており、１つの公衆ネットワーク７３を複数の事業者が共有している。図８は、無線通信基地局装置７１の起動時のシーケンスを示しており、無線通信基地局装置７１は、ＳＩＭカードスロット７２に挿入されているＳＩＭカード内の情報にしたがって、サーバ群の中から適切なサーバを選択し、ＳＩＭカードに記録された情報に従って、図７に示すサーバとの間で暗号化された通信路の設定、相互認証等を行う。
【００２３】
図９は、無線通信基地局装置７１の運用中のシーケンスを示しており、起動時に設定された通信路を利用して無線通信基地局装置の管理や、端末の認証を有線側ネットワークのサーバで行う。すなわち、図９に示すように、無線通信基地局装置７１の管理はサーバ７６が行い、端末７8の認証はサーバ７７が行っている。
【００２４】
【発明の効果】
以上説明したように、本発明によれば、無線通信基地局装置の起動モードの変更や、情報の送受信を行うネットワーク上の機器の特定や、それらと通信を行うために必要な惰報の設定などは、ＳＩＭカードスロットに挿入されたＳＩＭカードの有無やＳＩＭカードに記録された情報を用いて行われる。
【００２５】
したがって、本発明によれば、無線通信基地局装置の設定の変更を容易に行うことができる。また、本発明によれば、情報を変更する際のミスを軽減することができる。
【図面の簡単な説明】
【図１】本発明の実施の形態に係る無線通信基地局装置の内部構成を示す図である。
【図２】起動シーケンスのフローチャートを示す図である。
【図３】本発明の実施の形態の具体的な適用例を示す図である(無線基地局装置が自営網に接続される場合)。
【図４】本発明の実施の形態の具体的な適用例を示す図である(無線基地局装置が公衆網に接続される場合)。
【図５】本発明の第２の実施の形態に係るネットワーク構成を示す図である。
【図６】第２の実施の形態に係る起動時／運用時のシーケンスを示す図である。
【図７】第２の実施の形態の具体的な適用例を示す図である(ネットワーク構成)。
【図８】第２の実施の形態の具体的な適用例を示す図である(起動時のシーケンス)。
【図９】第２の実施の形態の具体的な適用例を示す図である(運用時のシーケンス)。
【図１０】従来の無線通信基地局装置の装置構成図を示す図である。
【図１１】従来の起動モードの変更方法を示す図である。
【符号の説明】
１１    無線側インターフェース
１２    有線側インターフェース
１３    制御部
１４    ＳＩＭスロットカード
３１    無線通信基地局装置
３２    ＳＩＭカードスロット（ＳＩＭカードは、挿入されていない）
３３    社内ネットワーク
４１    無線通信基地局装置
４２    ＳＩＭカードスロット（ＳＩＭカードは、挿入されている）
４３    公衆ネットワーク
５１    無線通信基地局装置
５２    ＳＩＭカードスロット
５３    ネットワーク
５４    サーバ１
５５    サーバ２
５６    端末
７１    無線通信基地局装置
７２    ＳＩＭカードスロット
７３    公衆ネットワーク
７４    サーバＡ１
７５    サーバＡ２
７６    サーバＢ１
７７    サーバＢ２
７８    端末
１０１    無線インタフェース部
１０２    有線側インタフェース部
１０３    制御部
１１１    無線通信基地局装置
１１２    書き換え用装置
【図１】
0003957539.tif 000002
【図２】
0003957539.tif 000003
【図３】
0003957539.tif 000004
【図４】
0003957539.tif 000005
【図５】
0003957539.tif 000006
【図６】
0003957539.tif 000007
【図７】
0003957539.tif 000008
【図８】
0003957539.tif 000009
【図９】
0003957539.tif 000010
【図１０】
0003957539.tif 000011
【図１１】
0003957539.tif 000012